(57)【要約】【課題】簡易な構成としながらもハードウェアキー入力装置の入力インターフェースを容易に追加でき、かつ、表示操作部の側部の活用を制約することなく、さらには故障リスクの低減を図る。【解決手段】本発明は、タッチパネル５０を備えた操作表示部１０と、操作表示部１０上に載置され、タッチパネル５０を押下操作するための高誘電率を有するキートップ３１を備えたハードウェアキー入力装置３０と、操作表示部１０上へのハードウェアキー入力装置３０の載置を検知するための載置検知手段４０と、載置検知手段４０によってハードウェアキー入力装置３０の載置を検知したときには、タッチパネル５０の表示を、ハードウェアキー入力装置３０による押下操作を行える態様に遷移させる表示態様遷移手段６０ａとを有する。【選択図】図１
2020140230.tif 000002
【特許請求の範囲】
【請求項１】
タッチパネルを備えた操作表示部と、
前記操作表示部上に載置され、前記タッチパネルを押下操作するための高誘電率を有するキートップを備えたハードウェアキー入力装置と、
前記操作表示部上へのハードウェアキー入力装置の載置を検知するための載置検知手段と、
前記載置検知手段によってハードウェアキー入力装置の載置を検知したときには、前記タッチパネルの表示を、ハードウェアキー入力装置による押下操作を行える態様に遷移させる表示態様遷移手段とを有することを特徴とする情報処理装置。
【請求項２】
前記タッチパネルに当接するキートップの当接端を、タッチパネルを傷付けないように形成していることを特徴とする請求項１に記載の情報処理装置。
【請求項３】
前記載置検知手段がＲＦＩＤであることを特徴とする請求項１又は２に記載の情報処理装置。
【請求項４】
前記載置検知手段によって、表示操作部に載置していたハードキー入力装置が検知されないとき、表示態様遷移手段は、前記タッチパネルの表示を、ハードウェアキー入力装置による押下操作を行えない表示態様に遷移させることを特徴とする請求項１〜３のいずれか１項に記載の情報処理装置。
【請求項５】
前記載置検知手段は、ハードウェアキー入力装置から入力された入力情報と予め設定された載置検知情報とを照合判別することにより、ハードウェアキー入力装置の載置を検知することを特徴とする請求項１〜４のいずれか１項に記載の情報処理装置。
【請求項６】
前記ハードウェアキー入力装置を操作表示部に載置したとき、ハードキー入力装置により隠蔽されるタッチパネルの画面領域に、そのハードキー入力装置による入力操作を解除するための入力操作解除ソフトキーを設けたことを特徴とする請求項１〜５のいずれか１項に記載の情報処理装置。
【請求項７】
ハードウェアキー入力装置と操作表示部とを磁力によって載置固定する磁力固定手段を有することを特徴とする請求項１〜６のいずれか１項に記載の情報処理装置。
【請求項８】
互いに異なる複数種類のハードウェアキー入力装置を判別する入力装置判別手段を設け、
表示態様遷移手段は、前記入力装置判別手段によって判別された種類のハードウェアキー入力装置による押下操作を行える態様の表示を行うことを特徴とする請求項１〜７のいずれか１項に記載の情報処理装置。
【請求項９】
タッチパネルを備えた操作表示部と、前記操作表示部上に載置され、前記タッチパネルを押下操作するための高誘電率を有するキートップを備えたハードウェアキー入力装置と、前記ハードウェアキー入力装置のタッチパネル上への載置を検知するための載置検知手段とを有する情報処理装置に用いられる情報処理方法であって、
前記載置検知手段によってハードウェアキー入力装置の載置を検知したときには、前記タッチパネルの表示を、ハードウェアキー入力装置による押下操作を行える態様に遷移させることを特徴とする情報処理方法。
【請求項１０】
タッチパネルを備えた操作表示部と、前記操作表示部上に載置され、前記タッチパネルを押下操作するための高誘電率を有するキートップを備えたハードウェアキー入力装置と、前記ハードウェアキー入力装置のタッチパネル上への載置を検知するための載置検知手段とを有する情報処理装置に用いられる情報処理プログラムであって、
前記載置検知手段によってハードウェアキー入力装置の載置を検知するステップと、前記タッチパネルの表示を、ハードウェアキー入力装置による押下操作を行える態様に遷移させるステップとを有することを特徴とする情報処理プログラム。
【発明の詳細な説明】
【技術分野】
【０００１】
本発明は、情報処理装置、情報処理方法及び情報処理プログラムに関する。
【背景技術】
【０００２】
従来、画像形成装置等の情報処理装置の操作パネルにおいて、ハードキーを廃するととに、タッチパネルを用いたソフトキーのみを設けることにより、操作パネルのフラット化とともに表示部を拡大した製品が増加しつつある。
【０００３】
ソフトキーによる入力操作は、ソフトウェアによって容易に反応するキーの大きさを変更できる等の利点がある反面、手元を確認しつつ行わないと操作ミスが生じやすい。
【０００４】
特にＦＡＸ等の画像形成装置においては、電話番号等の連続した数字を入力する際に、従来のハードキーによっては容易であったブラインドタッチによる入力ができなくなるという不便さがあり、ハードキーによる入力を希望するユーザーの需要がある。
【０００５】
上記の需要に応えるべく、ＦＡＸ等の画像形成装置においては、タッチパネルの側面にテンキーユニットを外装させた構成のものが提案されている。このような構成の画像形成装置によれば、ソフトテンキーのみのタッチパネルしか有さない構成であってもハードキーを追加させられ、ユーザーの要望に応えることができる。
【０００６】
ところで、ハードキーの押下操作により生じる静電気を静電容量式のタッチパネルに伝達する方式のものとして例えば特許文献１に開示されたものがある。
【０００７】
特許文献１に開示された情報処理装置は、ハードキー入力装置を静電容量式のタッチパネル上に載置し、ハードキー入力装置の押下操作で生じた静電気を上記したタッチパネルに伝達するものである。
上記したハードキー入力装置は、ハードキーを押下することによる入力操作によって、静電気を発生させる機構や電池等を有したものである。
【発明の概要】
【発明が解決しようとする課題】
【０００８】
しかしながら、前述したタッチパネルの側面に外付けテンキーユニットを装着する方式のものでは、装着時に、タッチパネルが外側方に突出してしまう。また、タッチパネルの側部が、外付けテンキーユニットによって使えなくなるため、そのタッチパネルの側部に入力インターフェース等を配置できない。
【０００９】
一方、特許文献１に開示されているように、静電気を発生させる機構や電池等を有したハードキー入力装置では、操作できるタッチパネルが静電容量式のもののみに限定され、抵抗膜式のタッチパネルには対応することができない。
【００１０】
また、前記したタッチパネル側部の開放はできるものの、静電気を発生させる機構や電池等の部品が増加することにより、機構の複雑化とともにコストアップを招来し、故障のリスクが増加するという課題が未解決のままである。
【００１１】
そこで本発明は、簡易な構成としながらもハードウェアキーの入力インターフェースを容易に追加でき、かつ、表示操作部の側部の活用を制約することなく、さらには故障リスクの低減を図った情報処理装置の提供を目的としている。
【課題を解決するための手段】
【００１２】
上記課題を解決するための本発明は、タッチパネルを備えた操作表示部と、この操作表示部上に載置され、前記タッチパネルを押下操作するための高誘電率を有するキートップを備えたハードウェアキー入力装置と、前記操作表示部上へのハードウェアキー入力装置の載置を検知するための載置検知手段と、前記載置検知手段によってハードウェアキー入力装置の載置を検知したときには、前記タッチパネルの表示を、ハードウェアキー入力装置による押下操作を行える態様に遷移させる表示態様遷移手段とを有している。
【発明の効果】
【００１３】
本発明によれば、簡易な構成としながらもハードウェアキー入力装置の入力インターフェースを容易に追加でき、かつ、表示操作部の側部の活用を制約することなく、さらには故障リスクを低減できる。
【図面の簡単な説明】
【００１４】
【図１】第一の実施形態に係る情報処理装置の概略構成を示すブロック図である。
【図２】（Ａ）は、ハードウェアキー入力装置の正面図、（Ｂ）は、そのハードウェアキー入力装置の部分断面図である。
【図３】第二の実施形態に係る情報処理装置をなす装置本体とハードウェアキー入力装置の概略構成を示すブロック図である。
【図４】表示操作部にハードウェアキー入力装置を載置するときの概略の処理内容を示すフローチャートである。
【図５】（Ａ）は、表示操作部にハードキー入力装置を載置する前のタッチパネルの表示態様を示す正面図、（Ｂ）は、表示操作部にハードウェアキー入力装置を載置した後のタッチパネルの表示態様を示す正面図である。
【図６】表示操作部にハードウェアキー入力装置を載置した後のタッチパネルの表示態様を示す正面図である。
【図７】載置検知手段としてＲＦＩＤを用いた場合における、表示操作部にハードキー入力装置を載置する場合の詳細な処理動作を示すフローチャートである。
【図８】載置検知手段としてＲＦＩＤを用いた場合における、表示操作部に載置していたハードキー入力装置を取り外す場合の詳細な処理動作を示すフローチャートである。
【図９】表示操作部にハードキー入力装置を載置する前におけるタッチパネルの一例に係る表示態様を示す説明図である。
【図１０】表示操作部にハードキー入力装置を載置する前におけるタッチパネルの他例に係る表示態様を示す説明図である。
【図１１】（Ａ）は、他例に係る表示操作部、（Ｂ）は、他例に係るハードキー入力装置のそれぞれ正面図である。
【図１２】載置検知手段としてＲＦＩＤを用い、複数種類のハードキー入力装置を表示操作部に選択的に載置する場合における処理動作を示すフローチャートである。
【発明を実施するための形態】
【００１５】
以下に、本発明の一実施形態に係る情報処理装置について、図面を参照して説明する。図１は、第一の実施形態に係る情報処理装置の概略構成を示すブロック図、図２（Ａ）は、ハードウェアキー入力装置の正面図、（Ｂ）は、そのハードウェアキー入力装置の部分断面図である。なお、本実施形態においては、タッチパネルやキーボードを備えた情報処理装置である画像形成装置を一例として説明する。
【００１６】
図１に示すように第一の実施形態に係る画像形成装置Ａ１は、一例に係る表示操作部１０を配設した装置本体２０と、ハードウェアキー入力装置（以下、「ハードキー入力装置」と略記する。）３０とを有して構成されている。
【００１７】
表示操作部１０は、検知インターフェース（以下、「検知Ｉ／Ｆ」と略記する。）４０、抵抗膜式のタッチパネル（以下、「タッチパネル」と略記する。）５０、操作部ＣＰＵ６０を筐体１１内に配設したものである。
タッチパネル５０は、これを囲繞する枠形のフレーム５１（図２参照）により筐体１１に支持されている。
【００１８】
本実施形態において示す検知Ｉ／Ｆ４０は、表示操作部１０にハードキー入力装置３０が載置されたことを検知するためのセンサである。その検知Ｉ／Ｆ４０が、表示操作部１０上へのハードキー入力装置３０の載置を検知するための載置検知手段である。
【００１９】
操作部ＣＰＵ（Central Processing Unit）６０には、この操作部ＣＰＵ６０の図示しない入出力ポートに、前記した検知Ｉ／Ｆ４０とタッチパネル５０がそれぞれ適宜接続されている。
【００２０】
上記操作部ＣＰＵ６０には、これに内蔵されたメモリ６１に所要の情報処理プロラムが記憶されている。
本実施形態において示す情報処理プログラムは、検知Ｉ／Ｆ４０によってハードキー入力装置３０の載置を検知するステップ、前記タッチパネル５０の表示を、ハードキー入力装置３０による押下操作を行える態様に遷移させるステップとを有することを内容としている。
【００２１】
操作部ＣＰＵ６０は、上記情報処理プロラムの実行により、次の機能を発揮する。
検知Ｉ／Ｆ（載置検知手段）４０によってハードキー入力装置３０の載置を検知したときには、前記タッチパネル５０の表示を、ハードキー入力装置３０による押下操作を行える態様に遷移させる機能。この機能を「表示態様遷移手段６０ａ」という。
【００２２】
「表示操作部１０に載置したハードキー入力装置３０による押下操作を行える態様」とは、次のとおりである。
すなわち、ハードキー入力装置３０のキートップ３１（図２参照）をユーザーが押下操作を行える態様のことであるが、その詳細については後述する。
【００２３】
図２（Ａ）に示すように、ハードキー入力装置３０は、複数のキートップ３１からなるテンキー３５と、それらのキートップ３１を支持するハードキー機構３２（同図（Ｂ）参照）とを有したものであり、上記した表示操作部１０に対し着脱自在にして別体に形成されている。
【００２４】
キートップ３１は、ユーザーの指と同程度の高誘電率を有する材料により、かつ、タッチパネル５０を傷つけないようにされている。
キートップ３１は、軸部３４の図示上端にカバー部３３を一体にして形成されている。
ハードキー機構３２は、ハードキー入力装置３０を表示操作部１０のフレーム５１に当接させたとき、上記軸部３４の当接端３４ａをタッチパネル５０に対して離接するように弾性的に軸支している。
【００２５】
「タッチパネル５０を傷つけないようにして」とは、キートップ３１をなす材料の硬度やタッチパネル５０に当接する当接端３４ａを所要の曲面により形成すること等を含んでいる。
【００２６】
図３は、第二の実施形態に係る画像形成装置をなす装置本体とハードキー入力装置の概略構成を示すブロック図である。
図３に示す第二の実施形態に係る画像形成装置Ａ２は、タッチパネル５２を除き、上述した画像形成装置Ａ１とほぼ同様の構成になっているので、図３においては、上記図１等において説明したものと同一又は同等のものには、それらに同一の符号を付して重複した説明を省略し、相違点についてのみ説明する。
【００２７】
図３に示すタッチパネル５２は静電容量式のものであり、導電膜とユーザの指先との間での静電容量の変化を捉えて位置を検出する点において、上記した抵抗膜式のものと相違している。
上述したように、本実施形態に係るハードキー入力装置３０のキートップ３１は、これを高誘電率としているので、静電容量式のタッチパネル５２であっても操作することができるのである。
【００２８】
図４は、表示操作部１０にハードキー入力装置３０を載置するときの概略の処理内容を示すフローチャートである。図５（Ａ）は、表示操作部１０にハードキー入力装置３０を載置する前のタッチパネル５０（５２）の表示態様を示す正面図、（Ｂ）は、ハードキー入力装置３０の正面図である。また、図６は、表示操作部１０にハードキー入力装置３０を載置した後のタッチパネル５０（５２）の表示態様を示す正面図である。
【００２９】
本実施形態における情報処理方法は、前述した構成を有する情報処理装置に用いられるものであり、前記載置検知手段４０によってハードウェアキー入力装置３０の載置を検知したときには、前記タッチパネル５０（５２）の表示を、ハードウェアキー入力装置３０による押下操作を行える態様に遷移させることを内容としている。
【００３０】
ステップ１（図４中、「Ｓ１ａ」と略記する。以下、同様。）：画像形成装置Ａ１（Ａ２）が起動され、ハードキー入力装置３０の検知を待機している状態において、ハードキー入力装置３０の載置を検知するとステップ２に進む。
【００３１】
ステップ２：タッチパネル５０（５２）の表示を、表示操作部１０にハードキー入力装置３０を載置する前の表示態様５３（図５（Ａ）参照）から、表示操作部１０にハードキー入力装置３０を載置した後の表示態様５４（図６）参照）に遷移する。
【００３２】
具体的には、図５（Ａ）に示すように、ハードキー入力装置３０が表示操作部１０に載置される前においては、タッチパネル５０（５２）の画面全体にキー表示領域５３が表示された態様になっている。
【００３３】
「ハードキー入力装置３０を表示操作部１０に載置する前の表示態様」とは、タッチパネル５０（５２）に表示されているソフトキーによる入力操作のみを行える表示態様のことである。この表示態様においては、ハードキー入力装置３０による入力操作を行うことはできない。
【００３４】
そして、ハードキー入力装置３０が表示操作部１０に載置されたことが検知されると、キー表示領域５３がタッチパネル５０（５２）の画面図示左側に縮小されたキー表示領域５４に遷移する。この遷移とともに、画面図示右側にハードキー入力装置３０の大きさに対応した載置領域５４Ａが形成された表示態様になる。
【００３５】
ステップ３：タッチパネル５０（５２）の入力反応領域を上記載置領域５４Ａに切り換える。これにより、表示操作部１０とハードキー入力装置３０とが対応状態になり、ハードキー入力装置３０による入力操作が行えるようになる。
【００３６】
第三の実施形態に係る画像形成装置Ａ３（図１参照）は、載置検知手段として所謂ＲＦＩＤ（ radio frequency identifier）を採用している。
なお、ＲＦＩＤは、ＩＤ情報を埋め込んだＲＦタグから、電磁界や電波等を用いた近距離の無線通信によって情報をやりとりするものや技術全般を指すものである。
【００３７】
本実施形態に係る画像形成装置Ａ３は、複数種類のハードキー入力装置３０を判別すべく、各ハードキー入力装置３０にＲＦタグ７０（図１参照）を配設する一方、装置本体２０側に読み取り装置（検知Ｉ／Ｆ）４１を配設した構成としている。
ＲＦタグ７０には、複数種類のハードキー入力装置３０それぞれを判別するための種類判別情報をＩＤ情報として含んでいる。
【００３８】
本実施形態においては、ＲＦタグ７０と読み取り装置（検知Ｉ／Ｆ）４１とにより、操作表示部１０上へのハードウェアキー入力装置３０の載置を検知するための載置検知手段４２を構成している。
【００３９】
表示操作部１０の前記したメモリ６１には、その表示操作部１０への載置を許容するハードキー入力装置３０を特定するための種類判別情報が予め記憶されている。
【００４０】
本実施形態においては、表示操作部１０に載置されたハードキー入力装置３０の種類判別情報を読み取り装置４１によって読み取り、読み取った種類判別情報に基づいて、ハードキー入力装置３０の種類を判別する判別機能（これを、「種類判別手段６０ｂ」という。）を有している。
種類判別手段６０ｂは、メモリ６１に記憶されている種類判別情報とＲＦタグ７０に記録されている種類判別情報とを比較参照することによる判別を行う。
【００４１】
そして、本実施形態において示す表示態様遷移手段６０ａは、種類判別手段６０ｂによって予め設定した種類のハードキー入力装置３０であると判別されたときにのみ、表示操作部１０にハードキー入力装置３０を載置する前の表示態様（図５（Ａ）参照）から、表示操作部１０にハードキー入力装置３０を載置した後の表示態様（図６）参照）に遷移させる。
【００４２】
図７は、載置検知手段としてＲＦＩＤを用いた場合における、表示操作部１０にハードキー入力装置３０を載置する場合の詳細な処理動作を示すフローチャートである。
ステップ１（図７中、「Ｓ１ｂ」と略記する。以下、同様。）：画像形成装置Ａ３が起動され、ハードキー入力装置３０の載置を検知している状態において、ハードキー入力装置３０を検知するとステップ２に進む。
【００４３】
ステップ２：メモリ６１に記憶されている種類識別情報と、載置されたハードキー入力装置３０のＲＦタグ７０に記録されている種類判別情報とを参照比較して、一致が確認されればステップ３に進む。
【００４４】
ステップ３：タッチパネル５０（５２）の表示を、表示操作部１０にハードキー入力装置３０を載置する前の表示態様５３（図５（Ａ）参照）から、表示操作部１０にハードキー入力装置３０を載置した後の表示態様５４（図６）参照）に遷移する。
【００４５】
ステップ４：タッチパネル５０（５２）の入力反応領域を上記載置領域５４Ａに切り換える。これにより、表示操作部１０とハードキー入力装置３０とが対応状態になり、ハードキー入力装置３０による入力操作か行えるようになる。
【００４６】
図８は、載置検知手段として前記ＲＦＩＤを用いた場合における、表示操作部１０に載置していたハードキー入力装置３０を取り外す場合の詳細な処理動作を示すフローチャートである。
【００４７】
本実施形態に係る画像形成装置は、表示操作部１０に載置していたハードキー入力装置３０が検知されないとき、表示態様遷移手段６０ａは、タッチパネル５０（５２）の表示を、ハードウェアキー入力装置３０による押下操作を行えない表示態様に遷移する機能を有している。
【００４８】
ステップ１（図８中、「Ｓ１ｃ」と略記する。以下、同様。）：表示操作部１０に載置しているハードキー入力装置３０の種類識別情報を検知しなくなるとステップ２に進む。
【００４９】
ステップ２：ハードキー入力装置３０が表示操作部１０から取り外されたと判別してステップ３に進む。
【００５０】
ステップ３：タッチパネル５０（５２）の表示を、表示操作部１０にハードキー入力装置３０を載置した後の表示態様５４（図６参照）参照）から、表示操作部１０にハードキー入力装置３０を載置する前の表示態様５３（図５（Ａ）参照）に遷移させる。
【００５１】
ステップ４：タッチパネル５０（５２）の入力反応領域を、ハードキー入力装置３０を表示操作部１０に載置する前の状態に切り換える。これにより、ハードキー入力装置３０による入力操作に反応しないようになる。
【００５２】
図９は、表示操作部１０にハードキー入力装置３０を載置する前におけるタッチパネル５０（５２）の一例に係る表示態様を示す説明図である。
本実施形態に係る画像形成装置は、操作表示部１０上へのハードキー入力装置３０の載置を検知するための載置検知手段を、ソフトウェアによって実現したものである。
【００５３】
すなわち、予め設定された載置検知情報とハードキー入力装置３０から入力された入力情報とを照合することにより、ハードキー入力装置３０の載置を検知するようにしている。これにより、前述した検知Ｉ／Ｆを配設する必要がないようにしたものであり、以下に具体例を示す。
【００５４】
図９に示す一例に係る表示態様５７は、タッチパネル５０（５２）の図示右側領域に「１」から「９」のソフトキー５５からなるテンキー５６が表示がされている。
ソフトキー５５は、前述したハードキー入力装置３０を表示操作部１０に載置したとき、そのハードキー入力装置３０のキートップ３１にそれぞれ対向するように配列されている。
【００５５】
本実施形態においては、上記したソフトキー５５を介し、例えば「１」「４」「７」「８」からなる４桁の数字の順列組み合わせ（載置検知情報）をメモリ６１に予め記憶（登録）しておく。このとき、ハードキー入力装置３０が載置されないときに、押下されることがない数字の順列組み合わせとする。
【００５６】
その後、表示操作部１０に載置されたハードキー入力装置３０により押下操作された４桁の数字が、ソフトキー５５を介して入力された数列と一致するか否かを照合判別する。そして、押下操作された４桁の数字が一致すると判別されれば、表示操作部１０に載置されたハードキー入力装置３０の入力操作を許容する。
【００５７】
図１０は、表示操作部１０にハードキー入力装置３０を載置する前におけるタッチパネル５０（５２）の他例に係る表示態様を示す説明図である。
本実施形態に係る画像形成装置は、ハードキー入力装置３０による入力操作を解除するための入力操作解除ソフトキー５９をタッチパネル５０（５２）に表示した態様のものである。
【００５８】
すなわち、ハードキー入力装置３０を操作表示部１０に載置したとき、上記ハードキー入力装置３０で隠蔽されるタッチパネル５０（５２）の表示領域Ｒに、入力操作解除ソフトキー５９を表示した態様のものである。
【００５９】
具体的には、上記表示領域Ｒであって、上記した「１」から「９」のソフトキー５５に対応しない位置に、入力操作解除ソフトキー５９を表示している。
【００６０】
入力操作解除ソフトキー５９を表示するタイミングは、例えば表示操作部１０にハードキー入力装置３０を載置したことを検知したときである。
これにより、ハードキー入力装置３０を載置しているときには、入力操作解除ソフトキー５９が隠蔽されて入力を解除することができない。
そして、ハードキー入力装置３０を取り外したときに現われる入力操作解除ソフトキー５９を押下操作することにより、ハードキー入力装置３０の入力操作を解除することができる。
【００６１】
入力操作解除ソフトキー５９を押下操作することにより、図１０に示す表示操作部１０にハードキー入力装置３０を載置した後の表示態様から、例えば表示操作部１０にハードキー入力装置３０を載置する前の表示態様（図５（Ａ）参照）に遷移させるようにしてもよい。
【００６２】
図１１（Ａ）は、他例に係る表示操作部、（Ｂ）は、他例に係るハードキー入力装置のそれぞれ正面図である。なお、図１１に示す他例に係る表示操作部、ハードキー入力装置は、上述した画像形成装置Ａ１において説明したものとほぼ同様の構成になっている。そこで、同図においては、既述したものと同一又は同等のものには、それらに同一の符号を付して重複した説明を省略し、相違点についてのみ説明する。
【００６３】
本実施形態に係る画像形成装置は、他例に係るハードキー入力装置３０Ｅと操作表示部１０Ｅとを磁力によって載置固定する磁力固定手段８０を設けた構成になっている。
【００６４】
磁力固定手段８０は、操作表示部１０Ｅに配設した金属板材８１，８１と、ハードキー入力装置３０Ａに配設した磁石板８２，８２とを有している。
金属板材８１，８１は、タッチパネル５０（５２）を囲繞するフレーム５１の図示横長枠材５１ａ，５１ｂの裏面に横長にして形成されている。
磁石板８２，８２は、金属板材８１，８１にそれぞれ対向する位置に一対の図示横長板状にして形成されている。
以上の構成により、表示操作部１０Ｅにハードキー入力装置３０Ｅを容易に載置固定させることができる。
【００６５】
図１２は、載置検知手段として前記ＲＦＩＤを用い、複数種類のハードキー入力装置を表示操作部１０に選択的に載置する場合における処理動作を示すフローチャートである。図１２には、３種類のハードキー入力装置３０Ａ，３０Ｂ，３０Ｃを表示操作部１０に選択的に載置する場合を例として示しているが、これに限るものではないことは勿論である。
【００６６】
本実施形態に係る画像形成装置は、前述した表示態様遷移手段６０ａが、次の機能を有している。
すなわち、ＲＦＩＤによってハードキー入力装置３０Ａ（３０Ｂ，３０Ｃ）の載置を検知したときには、前記タッチパネル５０（５２）の表示を、ハードキー入力装置３０Ａ（３０Ｂ，３０Ｃ）による押下操作を行える態様に遷移させる機能を有している。
【００６７】
換言すると、前記タッチパネル５０（５２）の表示を、ハードキー入力装置３０Ａ（３０Ｂ，３０Ｃ）を表示操作部１０に載置する前の態様から、表示操作部１０に載置したハードキー入力装置３０Ａ（３０Ｂ，３０Ｃ）に載置した後の態様に遷移させている。
【００６８】
ステップ１（図１２中、「Ｓ１ｄ」と略記する。以下、同様。）：画像形成装置においてハードキー入力装置３０Ａ，３０Ｂ，３０Ｃを検知している状態において、ハードキー入力装置３０Ａ，３０Ｂ，３０Ｃいずれかの載置を検知するとステップ２に進む。
【００６９】
ステップ２：載置されたハードキー入力装置３０Ａ，３０Ｂ，３０Ｃの種類を判別し、ハードキー入力装置３０Ａであればステップ３Ａに、ハードキー入力装置３０Ｂであればステップ３Ｂに、また、ハードキー入力装置３０Ｃであればステップ３Ｃにそれぞれ進む。
【００７０】
ステップ３Ａ：タッチパネル５０（５２）の表示を、ハードキー入力装置３０Ａを表示操作部１０に載置する前の態様から、ハードキー入力装置３０Ａによる押下操作を行える態様に遷移させる。
【００７１】
ステップ４Ａ：タッチパネル５０（５２）の入力反応領域を、ハードキー入力装置３０Ａの載置領域に切り換える。これにより、載置したハードキー入力装置３０Ａによる入力操作を行えるようになる。
【００７２】
同様にして、ステップ２においてハードキー入力装置３０Ｂであればステップ３Ｂに、ハードキー入力装置３０Ｃであればステップ３Ｃにそれぞれ進む。これにより、表示操作部１０に載置されたハードキー入力装置の種類に応じて入力操作を行うことができる。
【符号の説明】
【００７３】
１０        操作表示部
１０Ｅ      操作表示部
２０        装置本体
３０        ハードウェアキー入力装置
３１        キートップ
３４        軸部
３４ａ      当接端
３５        テンキー
４０        載置検知手段
４１        検知Ｉ／Ｆ（検知インターフェース）
４２        載置検知手段
５０        タッチパネル
５２        タッチパネル
５３        表示態様
５４        表示態様
５４Ａ      載置領域
５５        ソフトキー（ソフトウェアキー）
５９        入力操作解除ソフトキー
６０        操作部ＣＰＵ      
６０ａ      表示態様遷移手段
６０ｂ      種類判別手段
６１        メモリ
７０        ＲＦタグ
８１，８１  金属板材
８２，８２  磁石板
Ａ１        画像形成装置
Ａ２        画像形成装置
【先行技術文献】
【特許文献】
【００７４】
【特許文献１】特開２０１７−７３１１１号公報
【図１】
2020140230.tif 000003
【図２】
2020140230.tif 000004
【図３】
2020140230.tif 000005
【図４】
2020140230.tif 000006
【図５】
2020140230.tif 000007
【図６】
2020140230.tif 000008
【図７】
2020140230.tif 000009
【図８】
2020140230.tif 000010
【図９】
2020140230.tif 000011
【図１０】
2020140230.tif 000012
【図１１】
2020140230.tif 000013
【図１２】
2020140230.tif 000014